(57)【特許請求の範囲】
【請求項１】
照明部の反対側にスイッチ部を一体的に突設して照明器具を形成し、他方、郵便受け箱本体に開口形成された取り出し口の周辺に小開口を形成し、該郵便受け箱本体内に前記照明器具を収容しそのスイッチ部を同小開口から外方へ突出させて、該照明器具を同郵便受け箱本体の内面に沿設して取着してなり、投入口の反対側の側面に開口形成された取り出し口の周辺にて、郵便受け箱本体の内面に照明器具を沿設すると共にこの照明器具のスイッチ部を同郵便受け箱本体の外方へ突出させてなる郵便受け箱であって、郵便受け箱本体の内部には、その一側面上部に開口形成された投入口から後方へ向かって下り傾斜した中仕切板が設置されており、その反対側の側面に開口形成された取り出し口の周辺にて同郵便受け箱本体の天板内面に照明器具を沿設してなることを特徴とする郵便受け箱。
【請求項２】
取り出し口の上側フランジ部に小開口を形成し、照明器具を偏平状に形成して郵便受け箱本体の天板内面に沿設したことを特徴とする請求項１記載の郵便受け箱。
【請求項３】
照明器具の郵便受け箱本体内部奥方を向く周側面を斜め下方へ向けて傾斜させたことを特徴とする請求項２記載の郵便受け箱。
【請求項４】
照明器具の郵便受け箱本体内部奥方を向く周側面を平面視凸曲面状に形成し、該周側面の下端部分に沿って照明部を設けたことを特徴とする請求項３記載の郵便受け箱。
【発明の詳細な説明】
【０００１】
【発明の属する技術分野】
本発明は、戸建て住宅、集合住宅等に設置され、照明器具で郵便受け箱本体の内部が照らされるようにした郵便受け箱に関するものである。
【０００２】
【従来の技術】
従来から、図９に示す如く、郵便受け箱本体４の内部に照明器具３を備えた郵便受け箱は知られている。この場合、郵便受け箱本体４は一側面に投入口13、その反対側面に取り出し口５が各々開口形成されたもので、該取り出し口15には上方へ回動されて開かれる開閉自在な蓋板15が付設されている。又、郵便受け箱本体４はコンクリート塀、ブロック塀等の塀体19に埋設固定され、その際に、該塀体19の敷地外側に投入口13、内側に取り出し口５が各々表出される。それ故、敷地外側の投入口13から郵便受け箱本体４内に投入された郵便物や新聞等の投入物を、敷地内側の取り出し口５から蓋板15を開けて取り出すことができる。
【０００３】
そして、郵便受け箱本体４の一側面の投入口13下側には透光性を有する表札パネル25が設けられており、該表札パネル25の裏側に前記照明器具３は設けられている。照明器具３は照明灯24を内部カバー板26で覆って形成され、該内部カバー板26も透光性を有している。したがって、夜間においては、照明器具３の照明灯24を点灯させることで、表札パネル25が敷地外側で明るく表示され、又、取り出し口５から投入物を取り出す際には、内部カバー板26を透して郵便受け箱本体４の内部が照らされていて、同投入物の存在を確認してこれを容易に取り出すこともできる。
【０００４】
【発明が解決しようとする課題】
しかしながら、上記従来の技術にあっては、表札パネル25を明るく表示させるために照明器具３が設けられたもので、該照明器具３の内部カバー板26を透光性を有するものとして、同照明器具３が郵便受け箱本体４の内部を照らすものとしても共用されるようになしたものである。そのため、表札パネル25を明るく表示させる必要のある夜間等には、照明器具３の照明灯24が点灯し続けられるものであり、逆に、同表札パネル25を明るく表示させる必要のない昼間には、同照明器具３の照明灯24が消灯されている。
【０００５】
ところが、郵便受け箱本体４の内部は外部と比較すると常に暗く、昼間でも雨天、曇天等で外部周辺が暗い場合はあり、このような場合に、取り出し口５から郵便受け箱本体４の内部を見て投入物を確認し、該投入物を取り出すことが煩わしく感じるものである。又、表札パネル25を明るく表示させるために設けられる照明器具３のスイッチは、通常、屋内に設けられており、投入物を取り出す毎にわざわざ屋内に設けられるスイッチを操作して同照明器具３の照明灯24を点灯・消灯させるのも、極めて困難なことで現実的でないものである。
【０００６】
本発明は、上記従来の技術における問題を悉く解決するために発明されたもので、その課題は、照明器具が郵便受け箱本体の内部でコンパクトに納まり、該内部を同照明器具で明るく照らして収納物を確認し取り出すことが煩わしくなくなる郵便受け箱を提供することである。
【０００７】
【課題を解決するための手段】
本発明の請求項１記載の郵便受け箱は、照明部の反対側にスイッチ部を一体的に突設して照明器具を形成し、他方、郵便受け箱本体に開口形成された取り出し口の周辺に小開口を形成し、該郵便受け箱本体内に前記照明器具を収容しそのスイッチ部を同小開口から外方へ突出させて、該照明器具を同郵便受け箱本体の内面に沿設して取着してなり、投入口の反対側の側面に開口形成された取り出し口の周辺にて、郵便受け箱本体の内面に照明器具を沿設すると共にこの照明器具のスイッチ部を同郵便受け箱本体の外方へ突出させてなるものである。
【０００８】
したがって、この場合、照明器具が郵便受け箱本体内にその内面に沿設されて収容取着されるため、該郵便受け箱本体内で投入物の邪魔にならないよう同照明器具はコンパクトに納まる。しかも、郵便受け箱本体に開口形成された取り出し口の周辺に小開口が形成され、該小開口から照明器具のスイッチ部が外方へ突出されるため、該スイッチ部の操作は同取り出し口の周辺でその外部から簡単に行われる。
【０００９】
それ故、郵便受け箱本体内の投入物を取り出し口から取り出す際に、必要に応じて照明器具を点灯させ、同郵便受け箱本体内を明るく照らして、同投入物を確認し取り出すことを煩わしい作業なしに行うことができる。又、照明部の反対側にスイッチ部が一体的に突設されているため、照明器具は取り出し口付近で郵便受け箱本体内に納まることになり、該郵便受け箱本体内が同照明部にて効果的に明るく照らさる。
【００１０】
更に、本発明の請求項１記載の郵便受け箱は、上記の郵便受け箱において、郵便受け箱本体の内部には、その一側面上部に開口形成された投入口から後方へ向かって下り傾斜した中仕切板が設置されており、その反対側の側面に開口形成された取り出し口の周辺にて同郵便受け箱本体の天板内面に照明器具を沿設してなることを特徴とするものである。
【００１１】
したがって、この場合は特に、投入口から郵便受け箱本体内に投入された郵便物や新聞等の投入物は、中仕切板上に斜め後上方に向けて傾斜した状態で保持されて、照明器具の照明部で明るく照らされ易く、取り出し口から見て確認され取り出され易いものでもある。
【００１２】
本発明の請求項２記載の郵便受け箱は、上記請求項１記載の郵便受け箱において、取り出し口の上側フランジ部に小開口を形成し、照明器具を偏平状に形成して郵便受け箱本体の天板内面に沿設したことを特徴とするものである。
【００１３】
したがって、この場合は特に、取り出し口の上側フランジ部に小開口が形成されるため、該小開口から突出されるスイッチ部は同取り出し口の上側でその外部手前側から操作されるものとなり、該取り出し口からの投入物の確認、取り出しに支障を来すことなく、同スイッチ部の操作をより簡単に行うことができる。しかも、偏平状に形成されて郵便受け箱本体の天板内面に沿設される照明器具が前記上側フランジ部の裏側でよりコンパクトに納まり、該照明器具は、通常、同郵便受け箱本体内の底部上に存在する投入物に対し、その取り出しの際にもほとんど邪魔になることがない。
【００１４】
本発明の請求項３記載の郵便受け箱は、上記請求項２記載の郵便受け箱において、照明器具の郵便受け箱本体内部奥方を向く周側面を斜め下方へ向けて傾斜させたことを特徴とするものである。
【００１５】
したがって、この場合は特に、照明器具の郵便受け箱本体内部奥方を向く周側面が斜め下方へ向けて傾斜されるため、投入物は同周側面に当たってもその傾斜に沿ってスムーズに下方へと摺接ガイドされ、同照明器具の下側に位置する取り出し口から同投入物をより簡単に取り出すことができる。
【００１６】
本発明の請求項４記載の郵便受け箱は、上記請求項３記載の郵便受け箱において、照明器具の郵便受け箱本体内部奥方を向く周側面を平面視凸曲面状に形成し、該周側面の下端部分に沿って照明部を設けたことを特徴とするものである。
【００１７】
したがって、この場合は特に、前記照明器具の斜め下方へ向く周側面が平面視凸曲面状に形成され、該周側面の下端部分に沿って照明部が設けられるため、該照明部によって郵便受け箱本体内は広範囲にわたって明るく照らされ、収納物の確認、取り出しをより容易に行うことができる。
【００２０】
【発明の実施の形態】
図１〜５は、本発明の請求項１〜４に対応する一実施形態を示し、該実施形態の郵便受け箱は、照明部１の反対側にスイッチ部２を一体的に突設して照明器具３を形成し、他方、郵便受け箱本体４に開口形成された取り出し口５の周辺に小開口６を形成し、該郵便受け箱本体４内に前記照明器具３を収容しそのスイッチ部２を同小開口６から外方へ突出させて、該照明器具３を同郵便受け箱本体４の内面に沿設して取着してなる。
【００２１】
該実施形態の郵便受け箱では、小開口６がノックアウト孔を穿設して形成されたものである。又、取り出し口５の上側フランジ部７に小開口６を形成し、照明器具３を偏平状に形成して郵便受け箱本体４の天板８の内面に沿設している。この場合、照明器具３の郵便受け箱本体４内部奥方を向く周側面９を斜め下方へ向けて傾斜させており、更に、同周側面９を平面視凸曲面状に形成し、該周側面９の下端部分に沿って照明部１を設けてもいる。
【００２２】
図１、２に示す如く、郵便受け箱本体４の一側面上部には、前方へ段状に突出した凸部12が形成されており、該凸部12の前端面に横長形状の投入口13が開口形成されている。郵便受け箱本体４の内部には、投入口13から後方へ向かって屈曲状に下り傾斜した中仕切板14が設置されている。それ故、投入口13から郵便受け箱本体４内に投入された郵便物や新聞等の投入物は、中仕切板14上に斜め後上方に向けて傾斜した状態で保持されて、照明器具３の照明部１で明るく照らされ易く、取り出し口５から見て確認され取り出され易いものでもある。
【００２３】
郵便受け箱本体４の前記一側面とは反対側の側面に、該反対側面略全体に開口した取り出し口５が開口形成されており、該取り出し口５には上方へ回動されて開かれる開閉自在な蓋板15が付設されている。蓋板15は上方へ回動されて開かれるものであるが、スイッチ部２のＯＮ／ＯＦＦ（照明部１の点灯・消灯）操作は同蓋板15の上側で支障なく行われる。なお、スイッチ部２は、これをプッシュすることでＯＮ状態となり、これを放すと自動的にＯＦＦ状態となるプッシュ形式のスイッチであるが、該形式のスイッチに限られるものではない。
【００２４】
前記蓋板15の下端裏側にはラッチ片16が突設され、前記取り出し口５の下縁及び両側縁には同蓋板15の戸当たりとなる鍔状フランジ17が形成されて、該鍔状フランジ17の下辺部分略中央にはラッチ受け18が形成されている。それ故、ラッチ片16がラッチ受け18に弾性的に着脱自在に係止されて、前記開閉自在な蓋板15の閉塞状態は保持される。
【００２５】
又、該実施形態の郵便受け箱は、戸建て住宅、集合住宅等の敷地出入口の側方近辺に設置される。例えば、図３に示す如く、郵便受け箱本体４はコンクリート塀、ブロック塀等の塀体19に埋設固定され、その際、該塀体19の敷地外側に投入口13が、同敷地内側に取り出し口５が各々表出される。この場合には、敷地外側の投入口13から郵便受け箱本体４の内部に投入された投入物を、敷地内側の取り出し口５から蓋板15を開けて楽に取り出すことができる。又、郵便受け箱本体４が塀体19に埋設固定される際、敷地外側では投入口13が形成された前記凸部12が表出されるだけで他の部位は同塀体19内に埋まり、それ故、該実施形態の郵便受け箱には、表札やこれを照らして表示させる照明が備わっていない。
【００２６】
図４に示す如く、照明器具３は照明灯（図示せず）が内蔵されたハウジングとして形成され、その上平面20にはマグネット板21が固着されて、該マグネット板21が金属製の郵便受け箱本体４の天板８内面に磁着されることで、該天板８内面に同照明器具３は簡単に貼着固定される。なお、この場合、着脱可能な対の係止テープを介して、照明器具３が郵便受け箱本体４の天板８内面に貼着固定されても良い。又、照明器具３の電源として、乾電池や蓄電池が該照明器具３のハウジング内に収容されても良く、或いは、屋内電源からの配線コードを同照明器具３に接続して電源供給されても良い。
【００２７】
又、照明器具３の照明部１は透光性を有する樹脂パネルでなり、該照明部１が周側面９として斜め下方へ向けて傾斜すると共に平面視凸曲面状となって、同照明器具３は全体的に郵便受け箱本体４の内部奥方へ向かってＲ状に丸みをもって形成されている。そして、照明器具３の一端面22が平坦状に形成され、該一端面22にはスイッチ部２が突設されて、同一端面22は郵便受け箱本体４の上側フランジ部７の裏面に当接される。
【００２８】
なお、前記図４に示す照明器具３は、図２（ａ）に示す郵便受け箱本体４において、上側フランジ部７の略中央に位置する小開口６に対応して取着固定されるものであり、同照明器具３を取着固定した状態が図１（ａ）に示される。該図１（ａ）に示す状態では、図２（ａ）における上側フランジ部７の端部付近に位置する小開口６がノックアウト孔のままで穿設されておらず、郵便受け箱本体４の防水性は確保される。
【００２９】
又、図５に示す照明器具３はコーナー用のもので、図２（ａ）に示す郵便受け箱本体４において、上側フランジ部７の端部付近に位置する小開口６に対応して取着固定されるものである。この場合には、照明器具３の一端面22が郵便受け箱本体４の上側フランジ部７の裏面に当接され、該一端面22と直交する隣接面23が同郵便受け箱本体４の側板内面に当接されて取着固定されるが、それ以外は、前記図４に示した照明器具３におけると同様である。
【００３０】
したがって、該実施形態の郵便受け箱においては、照明器具３が郵便受け箱本体４の内部にその内面に沿設されて収容取着されるため、該郵便受け箱本体４内で投入物の邪魔にならないよう同照明器具３はコンパクトに納まる。しかも、郵便受け箱本体４に開口形成された取り出し口５の周辺に小開口６は形成されており、該小開口６から照明器具３のスイッチ部２が外方へ突出されるため、該スイッチ部２のＯＮ／ＯＦＦプッシュ操作は、同取り出し口５の周辺でその外部から簡単に行われる。
【００３１】
それ故、郵便受け箱本体４内の投入物を取り出し口５から取り出す際に、雨天や曇天で周辺が暗い場合等、必要に応じて照明器具３を点灯させ、同郵便受け箱本体４の内部を明るく照らして、同投入物を見て確認し取り出すことを煩わしい作業なしに行うことができる。又、照明部１の反対側にスイッチ部２が一体的に突設されているため、照明器具３は取り出し口５付近で郵便受け箱本体４内に納まることになり、該郵便受け箱本体４の内部側に向くことになる同照明部１によって、同郵便受け箱本体４の内部が効果的に明るく照らさる。
【００３２】
更に、該実施形態の郵便受け箱においては、前記照明器具３が必要でこれを取着使用する場合にのみ、ノックアウト孔を穿設して前記小開口６を形成することができるので、施工後であっても、顧客の要望に応じて同照明器具３を追加し所定の部位に後付けして前記郵便受け箱とすることができる。それ故、前記照明器具３を使用しない場合には、ノックアウト孔を穿設せず閉塞したままにしておいて、郵便受け箱本体４の防水性を確保することができる。
【００３３】
又、該実施形態の郵便受け箱においては、取り出し口５の上側フランジ部７に小開口６が形成されるため、該小開口６から突出されるスイッチ部２は同取り出し口５の上側でその外部手前側から操作されるものとなり、該取り出し口５からの投入物の確認、取り出しに支障を来すことなく、同スイッチ部２の操作をより簡単に行うことができる。しかも、偏平状に形成されて郵便受け箱本体４の天板８内面に沿設される照明器具３が前記上側フランジ部７の裏側に当接してよりコンパクトに納まり、該照明器具３は、通常、同郵便受け箱本体４内の底部上に存在する投入物に対し、その取り出しの際にもほとんど邪魔になることがない。
【００３４】
又、ここでは、照明器具３の郵便受け箱本体４内部奥方を向く周側面９が斜め下方へ向けて傾斜されるため、投入物は同周側面９に当たってもその傾斜に沿ってスムーズに下方へと摺接ガイドされ、同照明器具３の下側に位置する取り出し口５から同投入物をより簡単に取り出すことができると共に、投入口13からの投入に際しても同投入物を投入し易くなる。しかも、この場合に、照明器具３の斜め下方へ向く周側面９が平面視凸曲面状に形成され、該周側面９の下端部分に沿って照明部１が湾曲凸状に設けられるため、該照明部１で郵便受け箱本体４の内部はその両側奥方まで広範囲にわたって明るく照らされ、収納物の確認、取り出しをより容易に行うことができる。
【００３５】
図６〜８は、本発明の請求項１〜４全てに対応する別の実施形態を示し、該実施形態の郵便受け箱では、照明器具３にスイッチ部１の突出基端部分を外装する雄ネジ管10を一体に突設し、該雄ネジ管10をスイッチ部１と共に小開口６から外方へ突出させ、同雄ネジ管10にナット11を螺合させ締め付けて、郵便受け箱本体４内に同照明器具３を取着固定している。
【００３６】
この場合、スイッチ部１及び雄ネジ管10は郵便受け箱本体４の取り出し口５の上側フランジ部７に形成された小開口６に内側から挿通され、同雄ネジ管10に外側からナット11が螺合されて、該ナット11と照明器具３の平坦状の一端面22とで同上側フランジ部７に挟着固定される。又、照明器具３は、図２（ａ）に示した郵便受け箱本体４において、上側フランジ部７の略中央に位置するノックアウト孔を穿設して形成された小開口６に対応して取着固定されるものであるが、上記実施形態と同様に、コーナー用の照明器具３として形成されても良い。
【００３７】
したがって、該実施形態の郵便受け箱においては、照明器具３にスイッチ部２の突出基端部分を外装する雄ネジ管10が一体に突設されており、該雄ネジ管10をスイッチ部２と共に小開口６から外方へ突出させ、同雄ネジ管10にナット11を螺合させ締め付けて、郵便受け箱本体４内に同照明器具３を簡単且つ確実に取着固定することができる。又、ここでは、スイッチ部２の突出基端部分が雄ネジ管10で外装され、該雄ネジ管10の先端開口から同スイッチ部２は突設されるため、該スイッチ部２が同雄ネジ管10で保護されて支障なくＯＮ／ＯＦＦプッシュ操作されるものとなる。なお、それ以外は、上記実施形態と同様に構成され、同上記実施形態におけると同様の作用効果が奏される。
【００３８】
【発明の効果】
上述の如く、本発明の請求項１記載の郵便受け箱においては、郵便受け箱本体内に照明器具がコンパクトに納まり、しかも、該照明器具のスイッチ操作は取り出し口の周辺でその外部から簡単に行われ、該取り出し口から投入物を取り出す際に、必要に応じて煩わしい作業なしに同郵便受け箱本体内を効果的に明るく照らすことができる。
【００３９】
更に、本発明の請求項１記載の郵便受け箱においては、特に、投入口から郵便受け箱本体内に投入された郵便物や新聞等の投入物は、中仕切板上に斜め後上方に向けて傾斜した状態で保持されて、照明器具の照明部で明るく照らされ易く、取り出し口から見て確認され取り出され易いものでもある。
【００４０】
又、本発明の請求項２記載の郵便受け箱においては、特に、スイッチ部が取り出し口の上側でその外部手前側から簡単に操作されるものとなり、照明器具は郵便受け箱本体の底部上に存在する投入物に対して、その取り出しの際にもほとんど邪魔になることがない。
【００４１】
又、本発明の請求項３記載の郵便受け箱においては、特に、投入物が照明器具の周側面に当たるとスムーズに下方へと摺接ガイドされ、該照明器具の下側に位置する取り出し口から同投入物をより簡単に取り出すことができる。
【００４２】
又、本発明の請求項４記載の郵便受け箱においては、特に、照明器具の斜め下方へ向く周側面が平面視凸曲面状に形成され、該周側面の下端部分に沿って設けられる照明部で、郵便受け箱本体内は広範囲にわたって明るく照らされ、収納物の確認、取り出しをより容易に行うことができる。
【図面の簡単な説明】
【図１】本発明の一実施形態である郵便受け箱を示し、（ａ）はその取り出し口の蓋板を取り外した状態における背面図、（ｂ）はその取り出し口の蓋板を取り外した状態における概略縦断面図。
【図２】同郵便受け箱の照明器具が取着されていない郵便受け箱本体を示し、（ａ）はその取り出し口の蓋板を取り外した状態における背面図、（ｂ）はその取り出し口に蓋板を取り付けた状態における側面図。
【図３】同郵便受け箱の施工状態を示す概略縦断面図。
【図４】同郵便受け箱に使用される照明器具を示す斜視図。
【図５】図郵便受け箱に使用される別の照明器具を示す斜視図。
【図６】本発明の別の実施形態である郵便受け箱の組立段階を示す要部斜視図。
【図７】同郵便受け箱に使用される照明器具を示す斜視図。
【図８】同郵便受け箱の組立段階を示す要部縦断面図。
【図９】従来例である郵便受け箱の施工状態を示す縦断面図。
【符号の説明】
１  照明部
２  スイッチ部
３  照明器具
４  郵便受け箱本体
５  取り出し口
６  小開口
７  上側フランジ部
８  天板
９  周側面
10  雄ネジ管
11  ナット
【図１】
0004311883.tif 000002
【図２】
0004311883.tif 000003
【図３】
0004311883.tif 000004
【図４】
0004311883.tif 000005
【図５】
0004311883.tif 000006
【図６】
0004311883.tif 000007
【図７】
0004311883.tif 000008
【図８】
0004311883.tif 000009
【図９】
0004311883.tif 000010